(57)【要約】無線通信ネットワークにおいて、モバイル・デバイス機能変化を示す非要求型のインジケーションを容易にするシステムおよび方法が記載される。アクセス・ポイントとの通信を確立すると、モバイル・デバイスは、例えば、デバイスに接続すること、および、ユーザ・インタフェース内の設定を変えること等によって、機能変化を経験しうる。基地局を変える場合、あるいはアイドル・モードからアクティブ・モードに切り替わる場合、モバイル・デバイスは、非要求型のメッセージをアクセス・ポイントへ送信し、この変化を示す。アクセス・ポイントは、次のアップリンク通信における変化をサポートするか、あるいは、そのようなサポートを拒否しうる。そして、ラジオ・リソース制御（ＲＲＣ）メッセージによって、モバイル・デバイスに通知する。
2011508996.tif 000002
【特許請求の範囲】
【請求項１】
無線通信ネットワークにおいてモバイル・デバイス機能を更新する方法であって、
無線デバイスの機能における変化を判定することと、
前記機能における変化を示す非要求型（unsolicited）のラジオ・リソース制御（ＲＲＣ）メッセージを送信することと、
前記機能における変化の受諾または拒否を示すＲＲＣ機能応答メッセージを受信することと
を備える方法。
【請求項２】
前記非要求型のＲＲＣメッセージは、モバイル・デバイスのモードがアイドルからアクティブに切り換わったことを示すために利用される請求項１に記載の方法。
【請求項３】
前記ＲＲＣ機能応答メッセージは、前記モードが切り換わると、前記もバイル・デバイスを再設定するために利用される既存のメッセージである請求項２に記載の方法。
【請求項４】
前記非要求型のＲＲＣメッセージは、前記モバイル・デバイスへのメッセージをユニークに識別するためのトランザクション識別子を備える請求項１に記載の方法。
【請求項５】
前記ＲＲＣ機能応答メッセージは、前記ＲＲＣ機能応答メッセージを前記非要求型のＲＲＣメッセージに関連付けるトランザクション識別子を備える請求項４に記載の方法。
【請求項６】
前記ＲＲＣ機能応答メッセージにおける受諾または拒否を示すインジケーションに少なくとも部分的に基づいて、アップリンク通信パラメータを変更することをさらに備える請求項１に記載の方法。
【請求項７】
拒否を示す前記ＲＲＣ機能応答メッセージに少なくとも部分的に基づいて、前記非要求型のＲＲＣメッセージを再送信することを制限するタイマを初期化することをさらに備える請求項１に記載の方法。
【請求項８】
前記タイマは、前記ＲＲＣ機能応答メッセージに含まれるタイマ値に少なくとも部分的に基づいて初期化される請求項７に記載の方法。
【請求項９】
無線通信装置であって、
前記無線通信装置における機能変化を示すインジケーションを受信し、前記機能変化を示すラジオ・リソース制御（ＲＲＣ）メッセージを生成し、前記ＲＲＣメッセージを要求（solicitation）なしでアクセス・ポイントへ送信し、前記無線通信装置への無線ネットワーク・アクセスを提供するように構成された少なくとも１つのプロセッサと、
前記少なくとも１つのプロセッサに接続されたメモリと
を備える無線通信装置。
【請求項１０】
前記少なくとも１つのプロセッサはさらに、前記機能変化の受諾または拒否を示すＲＲＣ機能応答メッセージを前記アクセス・ポイントから受信するように構成された請求項９に記載の無線通信装置。
【請求項１１】
前記ＲＲＣメッセージは、前記ＲＲＣメッセージを別のＲＲＣメッセージと区別するトランザクション識別子を備える請求項１０に記載の無線通信装置。
【請求項１２】
前記ＲＲＣ機能応答メッセージは、前記ＲＲＣメッセージと一致するトランザクション識別子を備える請求項１１に記載の無線通信装置。
【請求項１３】
前記少なくとも１つのプロセッサはさらに、前記受諾または拒否に基づいて、次の通信のアップリンク・パラメータを再設定するように構成された請求項１０に記載の無線通信装置。
【請求項１４】
前記ＲＲＣ機能応答メッセージは、前記機能変化の拒否を示し、前記機能変化の再要求を制限するタイマを指定する請求項１０に記載の無線通信装置。
【請求項１５】
前記少なくとも１つのプロセッサはさらに、無線ネットワーク・アクセスを初期化するために、前記アクセス・ポイントへＲＲＣ接続確立メッセージを送信するように構成された請求項９に記載の無線通信装置。
【請求項１６】
前記機能変化を示す前記ＲＲＣメッセージは、前記ＲＲＣ接続確立メッセージと同じ構成を用いる請求項１５に記載の無線通信装置。
【請求項１７】
無線通信ネットワークにおける非要求型モバイル・デバイス機能変化通知を容易にする無線通信装置であって、
前記無線通信装置における機能変化を検出する手段と、
前記機能変化に関連する非要求型のラジオ・リソース制御（ＲＲＣ）メッセージを生成する手段と、
前記機能変化に対するサポートを求めるために、前記非要求型のＲＲＣメッセージを別のデバイスへ送信する手段と
を備える無線通信装置。
【請求項１８】
無線ネットワーク・サービスを受信するために前記別のデバイスとの通信を確立する手段をさらに備える請求項１７に記載の無線通信装置。
【請求項１９】
前記ＲＲＣメッセージに応じて、前記別のデバイスから、ＲＲＣ機能応答メッセージを受信する手段をさらに備える請求項１７に記載の無線通信装置。
【請求項２０】
前記ＲＲＣ機能応答メッセージは、前記機能変化が受諾されたか拒否されたかを明示する請求項１９に記載の無線通信装置。
【請求項２１】
前記ＲＲＣ機能応答メッセージは、前記機能変化が拒否されたことを示し、前記ＲＲＣメッセージが再送信される前にタイマを備える請求項２０に記載の無線通信装置。
【請求項２２】
前記ＲＲＣ機能応答メッセージは、前記ＲＲＣ機能応答メッセージを前記ＲＲＣメッセージに関連付けるために、前記ＲＲＣメッセージに関連付けられたトランザクション識別子を備える請求項１９に記載の無線通信装置。
【請求項２３】
コンピュータ読取可能媒体を備えるコンピュータ・プログラム製品であって、
前記コンピュータ読取可能媒体は、
少なくとも１つのコンピュータに対して、無線デバイスの機能における変化を判定させるためのコードと、
前記少なくとも１つのコンピュータに対して、前記機能における変化を示す非要求型のラジオ・リソース制御（ＲＲＣ）メッセージを送信させるためのコードと、
前記少なくとも１つのコンピュータに対して、前記機能における変化の受諾または拒否を示すＲＲＣ機能応答メッセージを受信させるためのコードと
を備えるコンピュータ・プログラム製品。
【請求項２４】
前記非要求型のＲＲＣメッセージは、モバイル・デバイスがアイドルからアクティブに切り換わることを示すために利用される既存のメッセージである請求項２３に記載のコンピュータ・プログラム製品。
【請求項２５】
変化した無線デバイスの機能に基づいて、無線アップリンク通信パラメータを再設定する方法であって、
１または複数の機能における変化を示すラジオ・リソース制御（ＲＲＣ）メッセージをモバイル・デバイスから受信することと、
変化が求められている１または複数の機能を判定することと、
前記変化の拒否または受諾を示すＲＲＣ機能応答メッセージを前記モバイル・デバイスへ送信することと
を備える方法。
【請求項２６】
前記変化に少なくとも部分的に基づいて、前記モバイル・デバイスとの次の通信のためにアップリンク・パラメータを変更することをさらに備える請求項２５に記載の方法。
【請求項２７】
前記ＲＲＣ機能応答メッセージは、前記変更されたアップリンク・パラメータを示すインジケーションを備える請求項２６に記載の方法。
【請求項２８】
前記ＲＲＣ機能応答メッセージにトランザクション識別子を含めることをさらに備え、
前記トランザクション識別子は、前記モバイル・デバイスからのＲＲＣメッセージに関連付けられている請求項２５に記載の方法。
【請求項２９】
前記モバイル・デバイスからの次のＲＲＣメッセージの再送信を制限するタイマを決定することと、
前記ＲＲＣ機能応答メッセージ内に前記タイマを含めることと
をさらに備える請求項２５に記載の方法。
【請求項３０】
前記ＲＲＣ機能応答メッセージは、前記モバイル・デバイスがアイドル・モードからアクティブ・モードに切り換わることが示されると、前記モバイル・デバイスへ再設定パラメータを送信するために利用される既存のシステム・メッセージである請求項２５に記載の方法。
【請求項３１】
無線通信装置であって、
前記無線通信装置と通信しているモバイル・デバイスに関する機能変化を示す非要求型のインジケーションを受信し、前記インジケーションから前記機能変化を判定し、前記機能変化を受諾または拒否するラジオ・リソース制御（ＲＲＣ）機能応答メッセージを、前記モバイル・デバイスへ送信するように構成された少なくとも１つのプロセッサと、
前記少なくとも１つのプロセッサに接続されたメモリと
を備える無線通信装置。
【請求項３２】
前記少なくとも１つのプロセッサはさらに、前記機能変化を受諾し、前記機能変化をサポートするためにアップリンク・パラメータを変更するように構成された請求項３１に記載の無線通信装置。
【請求項３３】
前記ＲＲＣ機能応答メッセージは、前記変更されたアップリンク・パラメータの通知を備える請求項３２に記載の無線通信装置。
【請求項３４】
前記少なくとも１つのプロセッサはさらに、前記変更されたアップリンク・パラメータを利用する、次のモバイル・デバイス通信を受信するように構成された請求項３３に記載の無線通信装置。
【請求項３５】
前記少なくとも１つのプロセッサはさらに、前記機能変化を拒否し、前記ＲＲＣ機能応答メッセージ内に、前記ＲＲＣメッセージの再送信を制限するタイマを含むように構成された請求項３１に記載の無線通信装置。
【請求項３６】
前記少なくとも１つのプロセッサはさらに、前記ＲＲＣ機能応答メッセージを、前記機能変化を示す非要求型のインジケーションに関連付けるトランザクション識別子を備える前記ＲＲＣ機能応答メッセージを生成するように構成された請求項３１に記載の無線通信装置。
【請求項３７】
無線通信ネットワークにおいて、モバイル・デバイスの機能変化に適応する無線通信装置であって、
前記モバイル・デバイスの機能変化を示す非要求型のインジケーションを受信する手段と、
前記モバイル・デバイスの機能変化を判定する手段と、
前記機能変化に対するサポートの受諾または拒否を示すインジケーションを備えるラジオ・リソース制御（ＲＲＣ）機能応答メッセージを送信する手段と
を備える無線通信装置。
【請求項３８】
前記機能変化に少なくとも部分的に基づいて、アップリンク・パラメータを変える手段をさらに備える請求項３７に記載の無線通信装置。
【請求項３９】
前記ＲＲＣ機能応答メッセージは、前記変えられたリンク・パラメータと、前記機能変化のサポートに対する受諾とを備える請求項３８に記載の無線通信装置。
【請求項４０】
前記非要求型のインジケーションを再送信することを制限するタイマを確立する手段をさらに備え、
前記タイマは、前記機能変化のサポートに対する拒否とともに、前記ＲＲＣ機能応答メッセージで送信される請求項３７に記載の無線通信装置。
【請求項４１】
前記ＲＲＣ機能応答メッセージ内にトランザクション識別子を含める手段をさらに備え、
前記トランザクション識別子は、前記モバイル・デバイスの機能変化を示す非要求型のインジケーションに関連付けられる請求項３７に記載の無線通信装置。
【請求項４２】
コンピュータ読取可能媒体を備えるコンピュータ・プログラム製品であって、
前記コンピュータ読取可能媒体は、
少なくとも１つのコンピュータに対して、１または複数の機能における変化を示すラジオ・リソース制御（ＲＲＣ）メッセージをモバイル・デバイスから受信させるためのコードと、
前記少なくとも１つのコンピュータに対して、変化が求められている１または複数の機能を判定させるためのコードと、
前記少なくとも１つのコンピュータに対して、前記変化の拒否または受諾を示すＲＲＣ機能応答メッセージを前記モバイル・デバイスへ送信させるためのコードと
を備えるコンピュータ・プログラム製品。
【請求項４３】
前記コンピュータ読取可能媒体はさらに、
前記少なくとも１つのコンピュータに対して、前記変化に少なくとも部分的に基づいて、前記モバイル・デバイスとの次の通信のためのアップリンク・パラメータを変更させるためのコードを備える請求項４２に記載のコンピュータ・プログラム製品。
【発明の詳細な説明】
【関連出願に対する相互参照】
【０００１】
本願は、２００７年１２月５日に出願された"METHODS AND APPARATUSES FOR UPDATING USER EQUIPMENT CAPABILITY IN A WIRELESS COMMUNICATION SYSTEM"と題された米国仮出願６０／９９２，６４５号の利益を主張する。上記出願の全体は、参照によって本明細書に組み込まれる。
【技術分野】
【０００２】
以下の説明は、一般に無線通信に関し、さらに詳しくは、無線通信ネットワークにおけるユーザ機器機能を更新することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。モバイル・デバイスは、まず、基地局を経由して無線ネットワークとの通信を確立する。したがって、モバイル・デバイスは、基地局または基礎をなすネットワークによるさらなる利用のための機能を基地局へ送信しうる。これらの機能は、データ・スループット、技術的な機能、互換性のあるプロトコル、アプリケーション等に関連しうる。これら機能を用いて、基地局および／または基礎をなすネットワークは、モバイル・デバイスとより効率的に通信しうる。しかしながら、これらモバイル・デバイスの機能は、時間とともに変動し、基地局および／または基礎をなすネットワークとの通信前、通信中、あるいは通信後に変わりうる。
【発明の概要】
【０００６】
以下は、１または複数の実施形態の基本的な理解を提供するために、これら実施形態の簡単な概要を示す。この概要は、考えられるすべての実施形態の広範な概観ではなく、すべての実施形態の重要要素または決定的要素を特定することでもなく、任意またはすべての実施形態の範囲を線引きすることも意図されていない。その唯一の目的は、１または複数の実施形態のいくつかの概念を、後に示されるより詳細な記載に対する前置きとして、より簡単な形式で表すことである。
【０００７】
１または複数の実施形態およびそれらに対応する開示によれば、モバイル・デバイスに機能変更を通知することを容易にすることに関連するさまざまな態様が記載される。例えば、これらモバイル・デバイスの機能は、例えば、同時サービス、内部リソース・コンフリクト、外部デバイスのアタッチメント等をサポートするために、時間にわたって変化しうる。そのような変化が引き起こると、モバイル・デバイスは、新たに定義されたシステム・メッセージ、あるいは、既に存在するシステム・メッセージを用いて、アクセス・ポイントまたは基礎をなす通信ネットワークに対して、設定変更を通知しうる。（例えば、単独の、あるいは、基礎をなすネットワークを代表する）アクセス・ポイントは、新たな設定を受諾し、実施するか、および／または、新たな設定が通知で受信されれば、新たな設定について、モバイル・デバイスに問い合わせる。したがって、モバイル・デバイスは、アクセス・ポイントおよび／または基礎をなすネットワークへの接続を必要とすることなく、通信機能を変えうる。
【０００８】
関連する態様によれば、無線通信ネットワークにおいてモバイル・デバイス機能を更新する方法が提供される。この方法は、無線デバイスの機能における変化を判定することと、機能における変化を示す非要求型（unsolicited）のラジオ・リソース制御（ＲＲＣ）メッセージを送信することとを備える。この方法はさらに、機能の変化を受諾したこと、または拒否したことを示すＲＲＣ機能応答メッセージを受信することを備える。
【０００９】
別の態様は、無線通信装置に関する。この無線通信装置は、無線通信装置における機能変化を示すインジケーションを受信し、機能変化を示すＲＲＣメッセージを生成するように構成された少なくとも１つのプロセッサを含みうる。この少なくとも１つのプロセッサはさらに、要求（solicitation）なしでアクセス・ポイントへＲＲＣメッセージを送信し、もって、無線通信装置へ無線ネットワーク・アクセスを提供するように構成されている。この無線通信装置はさらに、少なくとも１つのプロセッサに接続されたメモリを含みうる。
【００１０】
また、別の態様は、無線通信ネットワークにおける非要求型モバイル・デバイス機能変化通知を容易にする無線通信装置に関する。この無線通信装置は、無線通信装置における機能変化を検出する手段と、この機能変化に関連して、非要求型のＲＲＣメッセージを生成する手段とを備えうる。この無線通信装置はさらに、機能変化に対するサポートを求めるために、非要求型のＲＲＣメッセージを別のデバイスへ送信する手段を含みうる。
【００１１】
さらに別の態様は、コンピュータ・プログラム製品に関連する。このコンピュータ・プログラム製品は、少なくとも１つのコンピュータに対して、無線デバイスの機能における変化を判定させるためのコードを含むコンピュータ読取可能媒体を有しうる。このコンピュータ読取可能媒体はさらに、少なくとも１つのコンピュータに対して、機能における変化を示す非要求型のＲＲＣメッセージを送信させるためのコードをも備えうる。さらに、このコンピュータ読取可能媒体は、少なくとも１つのコンピュータに対して、機能における変化の受諾または拒否を示すＲＲＣ機能応答メッセージを受信させるためのコードを備えうる。
【００１２】
さらなる態様によれば、変化した無線デバイス機能に基づいて、無線アップリンク通信パラメータを再設定する方法が提供される。この方法は、１または複数の機能における変化を示すＲＲＣメッセージをモバイル・デバイスから受信することと、変化が求められる１または複数の機能を決定することとを含みうる。この方法はさらに、変化の拒否または受諾を示すＲＲＣ機能応答メッセージをモバイル・デバイスへ送信することを含みうる。
【００１３】
別の態様は、無線通信装置に関する。この無線通信装置は、この無線通信装置と通信しているモバイル・デバイスに関する機能変化を示す非要求型のインジケーションを受信し、変化した機能を、このインジケーションから判定するように構成された少なくとも１つのプロセッサを含みうる。この少なくとも１つのプロセッサはさらに、変化した機能を受諾または拒否するＲＲＣ機能応答メッセージを、モバイル・デバイスへ送信するように構成される。この無線通信装置はさらに、少なくとも１つのプロセッサに接続されたメモリを含みうる。
【００１４】
また、別の態様は、無線通信ネットワークにおけるモバイル・デバイス機能変化に適応する無線通信装置に関する。この無線通信装置は、モバイル・デバイス機能変化を示す非要求型のインジケーションを受信する手段と、モバイル・デバイスの変化した機能を判定する手段とを備えうる。この無線通信装置はさらに、変化した機能に対するサポートの受諾または拒否を示すインジケーションを備えるＲＲＣ機能応答メッセージを送信する手段を含みうる。
【００１５】
また別の態様は、コンピュータ・プログラム製品に関する。このコンピュータ・プログラム製品は、少なくとも１つのコンピュータに対して、１または複数の機能における変化を示すＲＲＣメッセージをモバイル・デバイスから受信させるためのコードを含むコンピュータ読取可能媒体を有しうる。このコンピュータ読取可能媒体はさらに、少なくとも１つのコンピュータに対して、変化が求められる１または複数の機能を決定させるためのコードをも備えうる。さらに、このコンピュータ読取可能媒体は、少なくとも１つのコンピュータに対して、変化の拒否または受諾を示すＲＲＣ機能応答メッセージをモバイル・デバイスへ送信させるためのコードを備えうる。
【００１６】
前述した目的および関連する目的を達成するために、１または複数の実施形態は、以下に十分説明され、特に特許請求の範囲で指摘される特徴を備える。以下の記載および関連する図面は、１または複数の実施形態のある例示的な態様を詳細に述べる。これらの態様は、さまざまな実施形態の原理が適用されるさまざまな方式のうちのほんのいくつかを示すのみであり、記載された実施形態は、そのようなすべての態様およびそれらの均等物を含むことが意図される。
【図面の簡単な説明】
【００１７】
【図１】図１は、本明細書に記載されたさまざまな態様にしたがう無線通信システムの実例である。
【図２】図２は、無線通信環境内で適用される通信装置の実例である。
【図３】図３は、アクティブな通信における非要求型の無線デバイス機能変化を有効にする無線通信システムの例の例示である。
【図４】図４は、アップリンク・パラメータを変更するために非要求型の変化通知を利用する無線通信システムの例の例示である。
【図５】図５は、非要求型の機能変化通知を送信することを容易にする方法の例の例示である。
【図６】図６は、非要求型の機能変化通知を受信することを容易にする方法の例の例示である。
【図７】図７は、機能の変化を別のデバイスに通知することを容易にするモバイル・デバイスの例の例示である。
【図８】図８は、非要求型の機能変化に対してモバイル・デバイスから応答するシステムの例の例示である。
【図９】図９は、本明細書に記載されたさまざまなシステムおよび方法と共に使用することができる無線ネットワーク環境の例の例示である。
【図１０】図１０は、サポートを示すインジケーションについて、非要求型の機能変化通知を送信するシステムの例の例示である。
【図１１】図１１は、受信された非要求型の機能変化通知に対するサポートのレベルを決定するシステムの例の例示である。
【発明を実施するための形態】
【００１８】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００１９】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２０】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用され、アクセス・ポイント、ノードＢ、イボルブド・ノードＢ（ｅノードＢまたはｅＮＢ）、基地トランシーバ局（ＢＴＳ）、あるいはその他いくつかの専門用語で称されうる。
【００２１】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２２】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。ＣＤＭＡ２０００およびＵＭＢは、「第３世代パートナシップ計画プロジェクト」（３ＧＰＰ２）と命名された組織からドキュメントに記述されている。
【００２３】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２４】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２５】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。さらに、また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、図示するように、ピア・トゥ・ピアまたはアド・ホック技術を用いて互いにダイレクトに通信しうる。
【００２６】
例によれば、システム１００は、複数入力複数出力（ＭＩＭＯ）通信システムでありうる。さらに、システム１００は、通信チャネル（例えば、順方向リンク、逆方向リンク）を分割するために、例えばＦＤＤ、ＴＤＤ等のような実質的に任意のタイプのデュプレクス技術を適用しうる。一例において、モバイル・デバイス１１６／１２２は、基地局１０２および／または基礎をなすネットワーク（図示せず）への初期接続がなされると、基地局１０２へと機能を送信しうる。別の例では、モバイル・デバイス１１６／１２２はさらに、（例えば、３ＧＰＰ  ＬＴＥにおいて）アイドル状態からアクティブ状態へ移動すると、基地局１０２へ機能を送信しうる。基地局１０２は、アップリンクにおけるモバイル・デバイス１１６／１２２の通信パラメータを決定するために、これら機能を利用しうる。さらに、基地局１０２は、これら機能を、基礎をなす無線ネットワーク・ノードへ通信しうる。この無線ネットワーク・ノードも同様に、通信パラメータを決定するためにこれら機能を利用しうる。これらパラメータは、アップリンクにおいて次にサポートされている通信機能の定義が決定されると、モバイル・デバイス１１６／１２２へ通信されうる。
【００２７】
一例によれば、モバイル・デバイス１１６／１２２は、時間にわたって機能を変化させうる。変化は、例えば、モバイル・デバイス１１６／１２２のユーザ・インタフェース（ＵＩ）においてなされた変更、同時サービス確立、モバイル・デバイス１１６／１２２における内部リソース・コンフリクト、例えばグローバル・ポジショニング・システム（ＧＰＳ）モジュール／電源等のような外部デバイスの接続から生じうる。機能変化が生じると、モバイル・デバイス１１６／１２２は、（例えば、基地局１０２または他のデバイスからのプロンプトなく）非要求型のメッセージを基地局１０２へ送信することによって、基地局１０２／ネットワークにこの変化を通知しうる。この通知は、既存のメッセージにピギーバックされるか、あるいは、自身のメッセージで送信されうる。例えば、３ＧＰＰ  ＬＴＥのコンテキストでは、メッセージは、ラジオ・リソース制御（ＲＲＣ）接続再確立要求の一部として送信されうる。これは、基礎をなす無線ネットワームまたはそれらの構成要素との接続を再確立するために、ＲＲＣ通信レイヤによって送信されるメッセージである。このメッセージは、たとえ実際の再確立が望まれない場合であっても送信されうる。
【００２８】
一例において、基地局１０２は、このメッセージを受信し、（例えば、ＲＲＣ接続再設定メッセージのような）再設定メッセージをモバイル・デバイス１１６／１２２へ送信する。この再設定メッセージは、モバイル・デバイス１１６／１２２による次のアップリンク通信のために、（例えば、単独で、あるいは、基礎をなすネットワークを代表して）基地局１０２によって設定されうる。さらに、あるいは、その代わりに、再確立の受諾または拒否を示すフラグが、再設定メッセージの外部へ、あるいはその一部として送信されうる。この点に関し、モバイル・デバイス１１６／１２２は、機能変化が起こると、それを通知するために、既存のメッセージまたは新たなメッセージを利用することによって、基地局１０２あるいは１または複数の基礎をなす無線ネットワーク構成要素へと機能変化を示しうる。
【００２９】
図２に移って、無線通信環境内で適用される通信装置２００が例示される。この通信装置２００は、基地局またはその一部、モバイル・デバイスまたはその一部、あるいは、無線通信環境で送信されたデータを受信する実質的に任意の通信装置でありうる。この通信装置２００は、通信装置２００の機能に変化があったときを判定する機能変化検出器２０２と、この変化またはその存在を１または複数の別の装置に通知する機能変化通知部２０４と、新たな機能の受諾または拒否を示すメッセージを受信しうる機能変化メッセージ受信機２０６とを含みうる。
【００３０】
一例によれば、この通信装置２００は、無線アクセスのために（図示しない）別の通信装置との通信を確立し、無線装置２００の機能のセットを送信する。通信装置２００は、機能変化を経験しうる。これは、例えば、ＧＰＳまたは類似の受信機のような外部デバイスの接続または接続解除、（例えば、グローバル・システム・フォー・モバイル通信（ＧＳＭ）モード対応／非対応のような）装置の（図示しない）ＵＩを用いた変化、少なくとも部分的に１または複数の通信装置２００の動作の詳細（例えば、リソース・コンフリクト）に基づいた自動変化等のようなさまざまなイベントから生じうる。変化が生じると、通信装置２００は、（例えば、３ＧＰＰ  ＬＴＥコンテキストにおいてアイドル・モードからアクティブ・モードへ切り換わること、あるいは、他のコンテキストにおいては、アクセス・ポイント間で移動することのように）接続解除／再接続を待つのではなく、この変化を（例えば、別の通信装置のような）他のデバイスへ通知しうる。
【００３１】
この例において、機能変化検出器２０２は、例えば、外部構成要素の追加を検出することや、ＵＩ変化の通知を受信すること等のように、機能における変化を検出する。機能変化通知部２０４は、機能における変化を検出すると、他の装置にこの変化を通知しうる。これは、追加された機能に関連する情報を含むメッセージ、変化について通信装置２００に問い合わせることを通知するメッセージ等でありうる。利用されたメッセージは、独立したＲＲＣメッセージであるか、および／または、既存のシステムＲＲＣ手順またはそのメッセージへピギーバックされうる。一例において、通信装置２００は、３ＧＰＰ  ＬＴＥ環境で動作し、例えばＲＲＣ接続再確立要求のような新たなメッセージを利用しうる。この要求は、ＲＲＣレイヤ通信を再確立するために利用される３ＧＰＰ  ＬＴＥにおける既存の手順である。一般に、この手順は、デバイスがアイドル・モードからアクティブ・モードに切り換わる場合に利用されるが、機能変化通知部２０４は、（例えば、変化したパラメータを明示することによって、あるいは、変化についての問い合わせを通知することによって）機能変化を示すために、この手順を利用しうる。
【００３２】
機能変化が通信装置２００の現在のアップリンク設定に悪影響を与えない場合、機能変化メッセージ受信機２０６は、この変化の受諾または拒否を示すメッセージを受信しうる。これは、例えば、要求されていない機能または利用されている機能が追加または削除される場合に起こりうる。機能変化が現在のアップリンク設定に悪影響を与える場合、機能変化メッセージ受信機２０６は、通知された機能変化（および／または、通知された変化に関連する別の通信装置の機能）に基づいて、利用する通信装置２００の再設定メッセージを受信しうる。このメッセージはまた、機能変化の受諾および／または拒否を備えうる。一例において、何れかの場合で受信された再設定メッセージは、ＲＲＣ接続再設定メッセージでありうる。これは、機能変化に基づいて、通信装置２００の通信設定を明示するために、ＲＲＣ接続再設定がなされると送信される既存のメッセージである。（例えば、前者の場合のように）再設定が必要ではない場合、メッセージは、単に、追加の設定変化を伴わないダミーのメッセージでありうる。
【００３３】
図３に示すように、アクティブ・モード通信中の機能変化仕様を許可する無線通信システム３００が例示される。無線デバイス３０２、３０４のおのおのは、基地局、モバイル・デバイス、あるいはそれらの一部でありうる。一例において、無線デバイス３０２は、逆方向リンクすなわちアップリンク・チャネルによって無線デバイス３０４へ情報を送信しうる。さらに、無線デバイス３０２は、順方向リンクすなわちダウンリンク・チャネルによって無線デバイス３０４から情報を受信しうる。さらに、システム３００は、ＭＩＭＯシステムでありうる。そして、無線デバイス３０２、３０４は、少なくともＲＲＣレイヤにおいて通信しうる。さらに、無線デバイス３０２において以下に図示および説明する構成要素および機能は、一例において、逆に、無線デバイス３０４においても存在しうる。図示する構成は、説明を簡単にするために、これら構成要素を除外している。
【００３４】
無線デバイス３０２は、無線デバイス３０２の機能の変化を検出する機能変化検出器３０６と、この変化を無線デバイス３０４に通知する非要求型のＲＲＣメッセージを生成するＲＲＣメッセージ生成器３０８と、機能変化通知に応じて受信したＲＲＣメッセージを分析するＲＲＣメッセージ解釈部３１０と、受信したＲＲＣメッセージにしたがって無線デバイス３０２を再設定するデバイス再設定部３１２とを含む。無線デバイス３０４は、無線デバイス３０２の機能変化を示すＲＲＣメッセージを分析するＲＲＣメッセージ解釈部３１４と、この変化通知にしたがってアップリンク・パラメータを設定するアップリンク設定部３１６と、例えば機能変化が受諾されたか、および／または、受諾の範囲内にあるかを示すために、無線デバイス３０２へ送信するためのＲＲＣ機能応答メッセージを生成するＲＲＣメッセージ生成器３１８とを含みうる。
【００３５】
一例によれば、無線デバイス３０２は、無線ネットワーク・サービス・アクセスを達成するために、無線デバイス３０４との通信を確立しうる。この点に関し、無線デバイス３０４は、アクセスを提供するために、例えばバックホール・リンクを経由して、（図示しない）無線ネットワークへ接続されうる。この点に関し、無線デバイス３０２は、無線デバイス３０４との通信確立を要求する際に、機能および／または関連するパラメータのセットを示しうる。一例において、これらパラメータは、ＲＲＣメッセージ生成器３０８によって準備されるＲＲＣメッセージにおいて明示されうる。ＲＲＣメッセージは、無線デバイス３０４へ送信されうる。ＲＲＣメッセージ解釈部３１４は、このメッセージにおける関連するパラメータおよび／または機能を判定するために、このメッセージを分析しうる。したがって、無線デバイス３０４は、その機能に基づいて、無線デバイス３０２のための無線ネットワークを用いてサービスを確立し、ＲＲＣメッセージ生成器３１８は、ＲＲＣ機能応答メッセージを生成しうる。このメッセージは、無線デバイス３０２へ送信され、機能変化の受諾が示されるか、および／または、結果として得られる機能／パラメータが示される。３ＧＰＰ  ＬＴＥコンテキストでは、この手順は、例えば、無線デバイス３０２がアイドル・モードからアクティブ・モードへと移動する毎に生じうる。
【００３６】
しかしながら、無線デバイス３０４と通信している間、無線デバイス３０２は、機能における変化をもたらす可能性がある。新たな機能または削除された機能を、次の接続確立が、無線デバイス３０４（または次の無線デバイス）へ送信することを待つのではなく、無線デバイス３０２は、無線デバイス３０４に対して、変化の発生と次の接続確立との間の実質的に任意の時間における変化を通知しうる。この点に関し、機能変化検出器３０６は、説明したようにさまざまな要因またはイベントから生じうる変化を検出しうる。そして、ＲＲＣメッセージ生成器３０８は、この変化を無線デバイス３０４に通知するために、ＲＲＣメッセージを生成しうる。このメッセージは、新たなメッセージであるか、および／または、例えばＲＲＣ接続再設定要求メッセージまたは手順のような既存のものであり、このメッセージ／手順は、一例では、接続再確立のための実際の要求ではないかもしれないが使用されうることが認識されるべきである。このメッセージは、機能変化通知のために、無線デバイス３０４へ送信されうる。
【００３７】
このメッセージを受信すると、無線デバイス３０４のＲＲＣメッセージ解釈部３１４は、メッセージ・タイプを、無線デバイス３０２の機能変更を示すものと判定しうる。アップリンク設定部３１６は、アップリンク通信パラメータが変更されるべきであるかを判定するために、このメッセージにおける機能変化を評価する。これは、さらに、無線デバイス３０４および／または基礎をなす無線ネットワークの機能に基づきうる。一例において、この機能変化は、（例えば、非ＧＳＭの無線デバイス３０４と通信している場合にディセーブルされたＧＳＭ−モード、あるいは、例えばＧＰＳのように、サポートされていない他の機能の追加のような）利用されていないモードにおける変化のように、割り当てられたアップリンク・リソースに必ずしも悪影響を与えないイベントに関連しうる。この場合、ＲＲＣメッセージ生成器３１８は、ダミーのＲＲＣ接続再設定コマンド、新たに定義されたＲＲＣメッセージでありうるＲＲＣ機能応答メッセージを生成し、他の既存のメッセージまたはコマンドをピギーバックしうる。このメッセージは、機能変化が受諾されたか拒否されたかに関するインジケーションを提供しうる。既存のメッセージの場合、これは、例えばフラグとして追加されうる。しかしながら、この点に関し、機能は現在のアップリンク設定に適応しないので、いかなる再設定も送信される必要がない。
【００３８】
別の例では、機能変化は、現在のアップリンク設定に悪影響を与えるイベントに関連しうる。この例では、アップリンク設定部３１６が、追加されるべき、および／または、現在の設定から削除されるべきアップリンク・パラメータを決定しうる。例えば、機能変化が、アップリンク・データ・レートの変更に関するものであれば、アップリンク設定部３１６は、可能であれば、要求されたデータ・レートに適応するために、アップリンクのパラメータを変更しうる。決定されると、ＲＲＣメッセージ生成器３１８は、例えば３ＧＰＰ  ＬＥＴにおけるＲＲＣ接続再設定コマンドのように、新たな設定パラメータをさらに備えるＲＲＣ機能応答メッセージを生成しうる。繰り返すが、メッセージは、無線デバイス３０４がこの変化に適応しているかを示す機能受諾／拒否フラグを有しうる。このメッセージは、無線デバイス３０２へ送信されうる。ここでは、ＲＲＣメッセージ解釈部３１０が、メッセージの内容を判定しうる。含まれているアップリンク再設定パラメータに基づいて、デバイス再設定部３１２は、受信されたものと一致をとるために、無線デバイス３０２のパラメータをリセットしうる。例えば、機能変化が受諾されたことをメッセージが示す場合、デバイス再設定部３１２は、アップリンクによる次の通信のためのパラメータ変化を実施する一方、機能変化が拒否された場合、無線デバイス３０２は、パラメータを再設定することなく、無線デバイス３０４との通信を継続しうる。
【００３９】
例によれば、機能変化が無線デバイス３０４によって受諾されない場合（例えば、ＲＲＣ機能応答メッセージが、偽の受諾フラグを有する場合）、無線デバイス３０２は、さまざまな方式で反応しうる。例えば、無線デバイス３０２は、要求に対して意のままに（例えば、自己のスキームにしたがって）再試行しうる。別の例では、無線デバイス３０２は、命じられた遅延期間を有しうる。これは、無線デバイス３０２においてハード・コードされるか、あるいは、ネットワーク・システム・パラメータとして指定される。また別の例において、そのように命じられた時間は、ＲＲＣ機能応答メッセージ（例えば、ＲＲＣ接続再設定コマンド）において明示され、無線デバイス３０２が機能変化を再要求しうるときを無線デバイス３０４が決定できるようになる。これは、例えば、一度ですべての機能に適応するように機能変化を明示しうる新たな機能を用いて新たな無線デバイス３０４が製造（rolled out）される場合に役立つ。
【００４０】
さらに、一例において、無線デバイス３０２と無線デバイス３０４との間で渡されたＲＲＣメッセージは、機能変化要求を応答メッセージに適切に関連付けるトランザクション識別子を備えうる。例えば、無線デバイス３０２は、機能変化を検出すると、ＲＲＣメッセージ生成器３０８によって生成されたＲＲＣメッセージにおけるトランザクション識別子を明示しうる。ＲＲＣメッセージを受信すると、ＲＲＣメッセージ解釈部３１４は、その識別子を記録しうる。これは、ＲＲＣメッセージ生成器３１６がその後、ＲＲＣ機能応答メッセージを生成する際に使用しうる。メッセージを受信すると、デバイス再設定部３１２は、トランザクション識別子を検証し、それが、機能変化を要求している適切なＲＲＣメッセージに関連していることを確認する。この点に関し、もしも、例えば無線デバイス３０４および／または基礎をなすネットワークによって許可されている場合、無線デバイス３０２は、第１の機能変化に関連する応答を受信する前に、別の機能変化を要求しうる。さらに、無線デバイス３０２は、ＲＲＣ接続再設定コマンド・シンタックスをも使用するＲＲＣ機能応答メッセージを受信する前に、実際の再設定要求（例えば、３ＧＰＰ  ＬＴＥにおけるアイドル・モードからアクティブ・モードへの切換の結果である実際のＲＲＣ接続再設定）を受信することが可能でありうる。したがって、トランザクション識別子によって、無線デバイス３０２は、このようなメッセージを区別できるようになる。この点に関し、メッセージを区別するために、（例えば、受諾／拒否フラグと同様に）１ビットの縮約識別子が利用されうることが認識されるべきである。
【００４１】
図４に移って、ＵＥ機能変化の、非要求型の通知を容易にする無線通信ネットワーク４００の例が例示される。無線アクセス・サービスを受信するために、ｅノードＢ４０４と通信するＵＥ４０２が提供される。一例において、ｅノードＢ４０４は、ＵＥ４０２に３ＧＰＰ  ＬＴＥサービス・アクセスを提供しうる。ＵＥ４０２は、例えば、通信を確立すると、および／または、（例えば、３ＧＰＰ  ＬＴＥコンテキストでは）ＲＲＣ接続再確立要求時にアイドル・モードからアクティブ通信モードへと切り換わると、機能のセットをｅノードＢ４０４に送信する。一例によれば、本明細書に記載されるように、ＵＥ４０２は機能変化を経験しうる。４０６では、ＵＥ４０２は、ｅノードＢ４０４からの新たな機能に対するサポートを要求し、この要求とともに、トランザクション識別子Ｘを送信しうる。一例において、この要求は、新たなメッセージで送信されるか、あるいはＲＲＣ接続再確立要求メッセージのような既存のメッセージで送信されうる。
【００４２】
このメッセージを受信すると、ｅノードＢ４０４は、要求された機能サポートを判定し、応答メッセージを生成しうる。説明するように、この応答メッセージは、ｅノードＢ４０４および／または基礎をなすネットワーク機能によって判定されるうる機能をｅノードＢ４０４が受諾するか否かに少なくとも部分的に基づきうる。この応答メッセージは、要求メッセージ４０２からのトランザクション識別子Ｘのみならず、機能変化が受諾されたか拒否されたかに関するインジケータをも備えうる。さらに、既に説明したように、機能変化が現在の設定に悪影響を及ぼす場合、応答メッセージは、新たなアップリンク・パラメータを備える再設定メッセージでありうる。４０８では、再設定メッセージがｅノードＢ４０４からＵＥ４０２へ送信される。説明するように、これは、新たなメッセージであるか、あるいは例えば３ＧＰＰ  ＬＴＥにおけるＲＣＣ接続再設定コマンドのような既存のメッセージでありうる。再設定メッセージにおける受諾／拒否フラグが真であり、トランザクション識別子が一致する場合、４１０において、ＵＥが、新たな機能を適用することが可能であれば、この新たな機能を用いて動作を開始する。この点において、ＵＥ機能変化に関する非要求型の通知がなされる。
【００４３】
図５および図６に示すように、モバイル・デバイス機能変化を示す非要求型のインジケーションに関連する方法が例示される。説明を単純にする目的で、これら方法は、一連の動作として示され説明されているが、これら方法は、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４４】
図５に移って、無線通信において、非要求型の機能変化通知を送信することを容易にする方法５００が示される。５０２において、機能における変化が判定される。例えば、説明するように、これは、外部のハードウェア、変更されたＵＩ設定等の接続／接続解除から生じる。５０４では、機能変化を示すＲＲＣメッセージが送信されうる。したがって、このメッセージを受信するデバイスは、この変化に適応できるか否かを決定しうる。さらに、このメッセージは、新たなメッセージであるか、および／または、例えばＲＲＣ接続確立／再確立メッセージ（例えば、３ＧＰＰ  ＬＴＥコンテキストにおけるＲＲＣ接続再確立要求）のような既存のシステム・メッセージでありうる。５０６では、変化した機能に対するサポートを示すＲＲＣ機能応答メッセージが受信されうる。このサポート表示は、例えば、真または偽（および／または、一例では、部分的なサポート）でありうる。さらに、ＲＲＣ機能応答メッセージが、変化した機能をサポートするために、再設定されたアップリンク・パラメータを示しうる。それにしたがって、５０８では、ＲＲＣ機能応答メッセージに少なくとも部分的に基づいてアップリンク送信パラメータが変更されうる。
【００４５】
図６に移って、非要求型のモバイル・デバイス機能変化通知を受信する方法６００が例示される。６０２では、モバイル・デバイスから機能変化通知が受信される。例えば、説明するように、これは、機能が追加されたことにより、あるいは、機能がモバイル・デバイスから削除されたことにより（例えば、外部デバイスの接続／接続解除、ＵＩにおける変化等により）生じうる。６０４では、この通知から、モバイル・デバイスの機能変化が判定される。例えば、この判定は、機能変化のすべてまたは一部がサポートされうるかを判定する際の助けになりうる。６０６では、機能変化に対するサポートにしたがって、モバイル・デバイスについてアップリンク・パラメータが変更されうる。したがって、変化がサポートされうるのであれば、アップリンク通信チャネルのパラメータがそれにしたがって変更されうる。６０８では、ＲＲＣ機能応答メッセージが、モバイル・デバイスへ送信されうる。このメッセージは、例えば、機能変化に対するサポートの受諾または拒否を示すインジケーションを備えうる。さらに、このメッセージは、既に説明したように、トランザクション識別子および／または再要求タイマを備えうる。
【００４６】
本明細書に記載の１または複数の態様によれば、説明したような機能変化（および／またはアップリンク・パラメータ変更）に対するサポートを判定することに関して推論がなされうることが認識されるだろう。本明細書で使用されるように、「推論する」または「推論」なる用語は一般に、イベントおよび／またはデータによって取得されたような観察のセットから、システムの状態、環境、および／または、ユーザの推論あるいはそれらに関する推理のプロセスを称する。推論は、特定のコンテキストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。一例において、推論はさらに、拒否された要求を再送信する待機タイマ・レイテンシを決定する際にもなされうる。
【００４７】
図７は、機能変化の非要求型の通知を容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００４８】
モバイル・デバイス７００はさらにメモリ７０８を備えうる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００４９】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５０】
プロセッサ７０６はさらに、モバイル・デバイス７００の機能変化を判定する機能変化検出器７１０と動作可能に接続されうる。例えば、説明するように、変化は、さまざまな外部および／または内部の影響または変更から生じうる。プロセッサ７０６および／または受信機７０２は、さらに、変化通知部／受信機７１２と動作可能に接続されうる。これらは、変化の通知に関するメッセージを生成しうる。このメッセージは、説明するように、１または複数のデバイスへ送信され、例えば、モバイル・デバイスへのネットワーク・アクセスを提供する。このメッセージは、説明するように、新たなＲＲＣレイヤ・メッセージまたは既存のＲＲＣレイヤ・メッセージでありうる。このメッセージが送信されると、変化通知部／受信機７１２は、１または複数のデバイスから応答メッセージを受信し、ネットワーク・アクセスを提供する。この応答は、機能変化に対するサポートの受諾または拒否を示しうる。この変化が受諾される場合、例えば、メッセージはさらに、この機能変化に対するサポートに基づいて、アップリンクの再設定パラメータを備えうる。プロセッサ７０６は、その後のアップリンク通信のため、これらパラメータにしたがって、変化を有効にしうる。さらに、このメッセージは、説明するように、このメッセージと、モバイル・デバイス７００によって送信されたメッセージとの一致をとるためのトランザクション識別子、あるいは、変化に対するサポートが拒否された場合、メッセージの再送信の時間を設定するタイマを備えうる。モバイル・デバイス７００はさらに、信号を変調する変調器７１４と、例えば基地局や他のモバイル・デバイス等へ信号を送信する送信機７１６とを備える。プロセッサ７０６と別に示されているが、機能変化検出器７１０、変化通知部／受信機７１２、復調器７０４、および／または、変調器７１４は、プロセッサ７０６または複数のプロセッサ（図示せず）の一部でありうることが認識されるべきである。
【００５１】
図８は、１または複数の無線デバイスの非要求型の機能変化通知を受信することを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に接続されている。プロセッサ８１４はさらに、モバイル・デバイス８０４の機能変化の非要求型の通知を受信する機能変化受信機８１８と、この機能変化に基づいてアップリンク・パラメータを再設定するアップリンク設定部８２０とに接続される。
【００５２】
一例によれば、機能変化受信機８１８は、１または複数のモバイル・デバイス８０４の機能変化を示すインジケーションを取得しうる。これは、例えば、受信機８１０を経由して非要求型のメッセージを受信することから生じうる。機能変化受信機８１８は、サポートが要求されている変化した機能を判定し、基地局８０２および／または基礎をなす無線ネットワークの機能に少なくとも部分的に基づいて、どのサポートが許可されるべきかを判定しうる。サポートが許可され、それが、現在のアップリンク・パラメータに対する変更を求めるのであれば、アップリンク設定部８２０は、適切な変更を行う。サポートおよび／またはアップリンク・パラメータ変更の許可に関する情報が、モバイル・デバイス８０４へ送信され、変更されたパラメータを、その後の通信において利用することが可能となる。この点に関し、モバイル・デバイス機能変化の非要求型の通知および適用が有効とされる。さらに、プロセッサ８１４と別に示されているが、機能変化受信機８１８、アップリンク設定部８２０、復調器８１２、および／または、変調器８２２は、プロセッサ８１４または複数のプロセッサ（図示せず）のうちの一部でありうることが認識されるべきである。
【００５３】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図４、図７および図８）、および／または方法（図５および図６）を適用しうることが認識されるべきである。
【００５４】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００５５】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００５６】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００５７】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００５８】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５９】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６０】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６１】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６２】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００６３】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６４】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６５】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００６６】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６７】
図１０に関し、無線ネットワークにおいて、機能変化の非要求型の通知を送信するシステム１０００が例示される。システム１０００は、例えば、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、システムにおける機能変化を検出するための電子構成要素１００４を含みうる。例えば、無線通信装置でありうるこのシステムは、外部デバイスの関連付け／関連付け解除、ＵＩにおける変化等によって、機能における変化を経験する場合がある。さらに、論理グループ１００２は、機能変化に関連する非要求型のＲＲＣメッセージを生成するための電子構成要素１００６を備えうる。ＲＲＣメッセージは、機能変化に関する情報を含みうる。一例において、このメッセージはまた、応答メッセージの関連付けを可能にするトランザクション識別子を備えうる。さらに、論理グループ１００２は、機能変化に対するサポートを要求するために、非要求型のＲＲＣメッセージを別のデバイスへ送信するための電子構成要素１００８を含みうる。したがって、この別のデバイスは、非要求型の通知によって、機能変化が通知される。さらに、システム１０００は、電子構成要素１００４、１００６、１００８に関連付けられた機能を実行するための命令群を保持するメモリ１０１０を含みうる。メモリ１０１０の外側にあるとして示されているが、電子構成要素１００４、１００６、１００８のうちの１または複数は、メモリ１０１０内に存在しうることが理解されるべきである。
【００６８】
図１１に移って、モバイル・デバイスの機能変化の非要求型の通知を受信し、それにしたがって、この変化に適応するかこの変化を拒否するシステム１１００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。システム１１００は、機能変化の受信および解釈を容易にする電子構成要素からなる論理グループ１１０２を含む。論理グループ１１０２は、モバイル・デバイス機能変化を示す非要求型のインジケーションを受信するための電子構成要素１１０４を含みうる。説明するように、これは、新たなＲＲＣメッセージであるか、あるいは再接続時および／またはアイドル時以外の変化発生に基づいてアクティブ・モード・スイッチに送信される既存のＲＲＣメッセージでありうる。さらに、論理グループ１１０２は、モバイル・デバイスの変化した機能を判定するための電子構成要素１１０６を含みうる。この点に関し、アップリンク・パラメータを修正する要求が、機能変化をサポートするためにも同様に判定されうる。さらに、論理グループ１１０２は、変化した機能のサポートの受諾または拒否を示すインジケーションを備えるＲＲＣ機能応答メッセージを送信するための電子構成要素１１０８を含みうる。したがって、モバイル・デバイスは、機能変化がサポートされているか否かを判定しうる。さらに、説明するように、ＲＲＣ機能応答メッセージは、変更されたアップリンク・パラメータ、トランザクション識別子、再送信のためのタイマ等を備えうる。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００６９】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011508996.tif 000003
【図２】
2011508996.tif 000004
【図３】
2011508996.tif 000005
【図４】
2011508996.tif 000006
【図５】
2011508996.tif 000007
【図６】
2011508996.tif 000008
【図７】
2011508996.tif 000009
【図８】
2011508996.tif 000010
【図９】
2011508996.tif 000011
【図１０】
2011508996.tif 000012
【図１１】
2011508996.tif 000013
【国際調査報告】
2011508996.tif 000014
2011508996.tif 000015
2011508996.tif 000016